(57)【要約】【課題】  動画記録中に残りの空き容量を越えた撮影を可能とした、撮像装置、動画ファイルの記録方法、及びプログラムの提供。【解決手段】  制御部は、ステップＳ１〜Ｓ４の動画撮影準備を終えて、動画撮影開始後、保存メモリの空き容量が記録する動画ファイルサイズを下回りそうな場合（ステップＳ５、Ｓ６）、表示部に空き容量不足アラーム表示を（ステップＳ１２）、ユーザがシャッターキーを半押ししてチャプタ指示（ファイル再作成指示）入力を行うと（ステップＳ１３）、現在一時記憶メモリに記憶されている動画データを所定数ずつ分けて圧縮処理して、所定のファイルサイズの動画ファイルを複数作成して（ステップＳ１４）、共通のファイル名称をつけて保存メモリ５００に記録する（ステップＳ１５）。【選択図】  図５
2005192096.tif 000002
【特許請求の範囲】
【請求項１】
被写体を撮影してその画像データを生成し、該画像データを所定のデータファイルとして保存メモリに記録する撮像装置において、
自動的に動画撮影する動画撮影モードを有し、
前記動画撮影モードの際に、前記生成した画像データを動画データとしてワークメモリに順次記憶する動画記憶手段と、
前記ワークメモリに記憶された全動画データをまとめて作成する１つの動画ファイルのメモリサイズ及び前記保存メモリの空き領域のメモリサイズを算出するメモリサイズ算出手段と、
前記メモリサイズ算出手段によって算出された前記動画ファイルのメモリサイズと空き容量のメモリサイズを比較する比較手段と、
前記動画ファイルのメモリサイズが空き容量のメモリサイズより大きくなったとき、警告情報を出力する警告出力手段と、
ユーザによる動画ファイル細分指示を行う細分指示手段と、
前記細分指示手段による動画ファイル細分指示があったとき、前記ワークメモリに記憶されている動画データを所定フレーム数ずつ撮影順にまとめて所定サイズの動画ファイルを複数作成する細分動画ファイル作成手段と、
前記細分動画ファイル作成手段によって作成された複数の動画ファイルを順次前記保存メモリに記録する記録手段と、
を備えたことを特徴とする撮像装置。
【請求項２】
前記細分指示手段はシャッターキーであり、ユーザによる動画ファイル細分指示はシャッターキーの半押しによって行われることを特徴とする請求項１記載の撮像装置。
【請求項３】
被写体を撮影してその画像データを生成し、該画像データを所定のデータファイルとして保存メモリに記録する撮像装置において、
自動的に動画撮影する動画撮影モードを有し、
前記動画撮影モードの際に、前記生成した画像データを動画データとしてワークメモリに順次記憶する動画記憶手段と、
前記ワークメモリに記憶された全動画データをまとめて作成する動画ファイルのメモリサイズ及び前記保存メモリの空き領域のメモリサイズを算出するメモリサイズ算出手段と、
前記メモリサイズ算出手段によって算出された動画ファイルのメモリサイズと空き容量のメモリサイズを比較する比較手段と、
前記動画ファイルのメモリサイズが空き容量のメモリサイズより大きくなったとき、前記ワークメモリに記憶されている動画データを所定フレーム数ずつ撮影順にまとめて所定サイズの動画ファイルを複数作成する細分動画ファイル作成手段と、
前記細分動画ファイル作成手段によって作成された複数の動画ファイルを順次前記保存メモリに記録する記録手段と、
を備えたことを特徴とする撮像装置。
【請求項４】
前記記録手段による動画ファイルの保存メモリの記録後、動画ファイル自動作成を報知する報知手段を備えたことを特徴とする請求項３記載の撮像装置。
【請求項５】
前記記録手段は、前記細分動画ファイル作成手段によって作成された複数の動画ファイルを順次前記保存メモリに記録する際に、それぞれの動画ファイルに共通のファイル名と連番を付けて記録することを特徴とする請求項１又は３記載の撮像装置。
【請求項６】
更に、ユーザによる動画ファイル統合指示を行う統合指示手段と、
前記統合指示手段による動画ファイル統合指示があったとき、前記保存メモリに記録されている１セット分の動画を構成する複数の動画ファイルを読み出して順次動画データを再生してワークメモリに記憶する動画データ再生手段と、
前記ワークメモリに記憶した動画データをまとめて１つの動画ファイルを作成する統合動画ファイル作成手段と、
を備え、
前記記録手段は前記統合動画ファイル作成手段によって作成された動画ファイルを前記保存メモリに上書き記録する、
ことを特徴とする請求項１又は３に記載の撮像装置。
【請求項７】
前記統合指示手段はシャッターキーであり、ユーザによる動画ファイル統合指示はシャッターキーの半押しによって行われることを特徴とする請求項６記載の撮像装置。
【請求項８】
被写体を撮影してその画像データを生成し、該画像データを所定のデータファイルとして保存メモリに記録する撮像装置の動画ファイルの記録方法において、
動画撮影時に、
ワークメモリに記憶された全動画データから１つの動画ファイルを作成した場合の動画ファイルのメモリサイズと前記保存メモリの空き領域のメモリサイズを比較し、
前記動画ファイルのメモリサイズが前記保存メモリの空き領域のメモリサイズより大きくなったとき警告情報を出力し、
ユーザによる動画ファイル細分指示入力を検出したとき、前記ワークメモリに記憶されている動画データを所定フレーム数ずつ撮影順にまとめて所定サイズの動画ファイルを複数作成し、
前記作成された複数の動画ファイルを順次前記保存メモリに記録する、
ことを特徴とする動画ファイルの記録方法。
【請求項９】
被写体を撮影してその画像データを生成し、該画像データを所定のデータファイルとして保存メモリに記録する撮像装置の動画ファイルの記録方法において、
動画撮影時に、
ワークメモリに記憶された全動画データから１つの動画ファイルを作成した場合の動画ファイルのメモリサイズと前記保存メモリの空き領域のメモリサイズを比較し、
前記動画ファイルのメモリサイズが前記保存メモリの空き領域のメモリサイズより大きくなったとき、前記ワークメモリに記憶されている動画データを所定フレーム数ずつ撮影順にまとめて所定サイズの動画ファイルを複数作成し、
前記作成された複数の動画ファイルを順次前記保存メモリに記録する、
ことを特徴とする動画ファイルの記録方法。
【請求項１０】
更に、ユーザによる動画ファイル統合指示入力を検出したとき、前記保存メモリに記録されている１セット分の動画を構成する複数の動画ファイルを読み出して順次動画データを再生し、前記再生した動画データをまとめて１つの動画ファイルを作成し、前記作成された動画ファイルを前記保存メモリに上書き記録する、
ことを特徴とする請求項８又は９に記載の動画ファイルの記録方法。
【請求項１１】
請求項１に記載の撮像装置において実行可能なプログラムであって、
動画撮影モードを選択させるプログラムステップと、
動画撮影モードの際に、被写体像を動画データに変換させてワークメモリに取り込ませるプログラムステップと、
前記ワークメモリに記憶された動画データをまとめて１つの動画ファイルを作成した場合の該動画ファイルのメモリサイズを算出させるプログラムステップと、
前記保存メモリの空き領域のメモリサイズを算出させるプログラムステップと、
前記メモリサイズ算出手段によって算出された前記動画ファイルのメモリサイズと空き容量のメモリサイズを比較させるプログラムステップと、
前記動画ファイルのメモリサイズが空き容量のメモリサイズより大きくなったとき、警告情報を出力させるプログラムステップと、
ユーザによる動画ファイル細分指示を検出させるプログラムステップと、
前記動画ファイル細分指示が検出されたとき、前記ワークメモリに記憶されている動画データを所定フレーム数ずつ撮影順にまとめて所定サイズの動画ファイルを複数作成させるプログラムステップと、
作成された複数の動画ファイルを順次前記保存メモリに記録させるプログラムステップと、
を備えたことを特徴とするプログラム。
【請求項１２】
請求項３に記載の撮像装置において実行可能なプログラムであって、
動画撮影モードを選択させるプログラムステップと、
動画撮影モードの際に、被写体像を動画データに変換させてワークメモリに取り込ませるプログラムステップと、
前記ワークメモリに記憶された動画データをまとめて１つの動画ファイルを作成した場合の該動画ファイルのメモリサイズを算出させるプログラムステップと、
前記保存メモリの空き領域のメモリサイズを算出させるプログラムステップと、
前記メモリサイズ算出手段によって算出された前記動画ファイルのメモリサイズと空き容量のメモリサイズを比較させるプログラムステップと、
前記動画ファイルのメモリサイズが空き容量のメモリサイズより大きくなったとき、前記ワークメモリに記憶されている動画データを所定フレーム数ずつ撮影順にまとめて所定サイズの動画ファイルを複数作成させるプログラムステップと、
作成された複数の動画ファイルを順次前記保存メモリに記録させるプログラムステップと、
を備えたことを特徴とするプログラム。
【発明の詳細な説明】
【技術分野】
【０００１】
本発明は、動画を記録／再生及び編集可能なデジタルカメラ等の撮像装置における動画ファイルの記憶技術に関する。
【背景技術】
【０００２】
近年、デジタルカメラが急速に普及しているが、半導体メモリに静止画だけでなく動画を記録することのできる、いわゆる半導体カメラも実用化されている。
【０００３】
デジタルカメラ等の電子カメラでは、静止画の画像データが「ファイル名．ＪＰＧ」のようにファイル形式で記録されるのと同様、動画も「ファイル名．ＭＰＧ」「ファイル名．ＡＶＩ」のようにファイル形式で記録される。よく知られているようにＪＰＧはＪＰＥＧ（Joint Photographic Expert Group）形式のファイルであり、ＭＰＧはＭＰＥＧ（Moving Picture  Expert Group）形式のファイルであり、ＡＶＩ（Audio Video Interleaved）はモーションＪＰＥＧ形式のファイルである。
【０００４】
しかしながら、従来の電子カメラにあっては、静止画ファイルまたは動画ファイルの識別名（以下「ファイル名」）やフォルダ名（ディレクトリ名ともいう）として、撮影日時や一連番号などから機械的に生成した文字列を使用していたため、ファイル名（またはフォルダ名）に基づく画像ファイルの整理分類が困難であり、とりわけ、動画編集を行う際の手間が大きいという問題点があった。
【０００５】
そこで、撮影され生成された画像信号中から文字情報を抽出して文字認識し、認識された文字情報を用いて文字列を生成し、生成された文字列をデータファイル名又は当該データファイルを格納するフォルダ名として設定することにより、ファイル名やフォルダ名を一瞥するだけで、その画像ファイルや画像フォルダの内容を容易に推測できるようにし、特に、動画編集を行う際の手間の軽減を図るようにした電子カメラや動画カメラがある（例えば、特許文献１参照）。
【０００６】
また、動画撮影（再生）はコマ数（動画撮影時間）が多ければ多いほど好適といえるが、従来の電子カメラにあっては、撮影時は、動画バッファに複数枚のマルチ画像を一旦格納した後、順次に圧縮処理して、記録媒体に記録する構成となっていたため、一度に撮影できる動画の最大コマ数（言い換えれば最大撮影時間）がもっぱら動画バッファ（動画メモリ）の大きさで一義的に決まってしまうという問題点と、再生時には、記録媒体に格納された複数枚のマルチ画像を順次に伸長処理して、動画バッファに展開する構成となっていたため、一度に再生できる動画の最大コマ数（言い換えれば最大再生時間）がもっぱら動画バッファの大きさで一義的に決まってしまうという問題点があった。
【０００７】
そこで、表示中の被写体像が更新される度にその被写体像の縮小画像データを一方の画像バッファの分割セルに順次に格納していき該一方の画像バッファの分割セルが一杯になると他方の画像バッファに切り換えて当該動作を継続するとともに、格納先に指定されていない方の画像バッファの複数個の分割セルに格納された全ての縮小画像データを１つの画像データとみなして圧縮し記録することにより、画像バッファを交互に切り換えながら、縮小画像データのバッファへの格納と、複数個の縮小画像データの圧縮・記録とを同時並行的に行うようにし、動画バッファ（動画メモリ）の大きさに関わらず、動画のコマ数を大幅に増大でき、よって実用上充分な長さの動画撮影時間を達成できるようにした電子カメラが提案されている（例えば、特許文献２参照）。
【０００８】
【特許文献１】特開２００３−３７７７０号公報
【特許文献２】特開２０００−５０１２７号公報
【発明の開示】
【発明が解決しようとする課題】
【０００９】
上記特許文献１記載の技術によれば、撮影された画像中の文字情報を基にした文字列をデータファイル名又はフォルダ名として設定されるので、画像ファイルや画像フォルダの内容を容易に推測でき、動画編集を行う際の手間を軽減することができる。
【００１０】
また、上記特許文献２に記載の技術によれば、動画メモリの大きさに関わらず、動画のコマ数を大幅に増大でき、よって実用上充分な長さの動画撮影時間を達成できるが、動画の記憶には多くのメモリ容量を必要とするだけでなく、例えば、１０分間分のコマ数の画像記憶容量がある記録媒体に、５分以上画像を記録すると編集はできないといったように、一般に、編集を行うためには録画サイズと同程度かそれ以上の空き容量（バッファメモリ）を確保しておかなければならないので、コマ数が多ければ多いほど編集用の空き容量を多く必要とし、結果として撮影コマ数が制約されるといった課題がある。
【００１１】
本発明は上記課題を解決するためになされたものであり、動画記録中に残りの空き容量を越えた撮影を可能とした、撮像装置、動画ファイルの記録方法、及びプログラムの提供を目的とする。
【課題を解決するための手段】
【００１２】
上記課題を解決するために、請求項１に記載の発明では、被写体を撮影してその画像データを生成し、該画像データを所定のデータファイルとして保存メモリに記録する撮像装置において、自動的に動画撮影する動画撮影モードを有し、動画撮影モードの際に、生成した画像データを動画データとしてワークメモリに順次記憶する動画記憶手段と、ワークメモリに記憶された全動画データをまとめて作成する１つの動画ファイルのメモリサイズ及び保存メモリの空き領域のメモリサイズを算出するメモリサイズ算出手段と、メモリサイズ算出手段によって算出された動画ファイルのメモリサイズと空き容量のメモリサイズを比較する比較手段と、動画ファイルのメモリサイズが空き容量のメモリサイズより大きくなったとき、警告情報を出力する警告出力手段と、ユーザによる動画ファイル細分指示を行う細分指示手段と、細分指示手段による動画ファイル細分指示があったとき、ワークメモリに記憶されている動画データを所定フレーム数ずつ撮影順にまとめて所定サイズの動画ファイルを複数作成する細分動画ファイル作成手段と、細分動画ファイル作成手段によって作成された複数の動画ファイルを順次保存メモリに記録する記録手段と、を備えたことを特徴とする撮像装置を提供する。  
これにより、動画撮影時に撮影した動画データをまとめて作成する動画ファイルのファイルサイズが空き容量のサイズより大きくなった場合に、ユーザの指示により、動画ファイルを細分して複数の動画ファイルを作成しそのファイルサイズを空き容量のサイズより小さくできるので、画像記録領域の容量の２分の１を超えて動画を撮影・記録してもあとから動画編集ができなくなるようなことを予め防止できる。
【００１３】
また、請求項２に記載の発明では、細分指示手段はシャッターキーであり、ユーザによる動画ファイル細分指示はシャッターキーの半押しによって行われることを特徴とする請求項１記載の撮像装置を提供する。  
これにより、動画撮影開始後、シャッターキーを半押しするだけでよいので特別にキーを設ける必要がない。また、撮影操作上で最も使い易い位置に配されているシャッターキーを用いるので押しやすく、操作性に優れている。
【００１４】
また、請求項３に記載の発明では、被写体を撮影してその画像データを生成し、該画像データを所定のデータファイルとして保存メモリに記録する撮像装置において、自動的に動画撮影する動画撮影モードを有し、動画撮影モードの際に、生成した画像データを動画データとしてワークメモリに順次記憶する動画記憶手段と、ワークメモリに記憶された全動画データをまとめて作成する動画ファイルのメモリサイズ及び保存メモリの空き領域のメモリサイズを算出するメモリサイズ算出手段と、メモリサイズ算出手段によって算出された動画ファイルのメモリサイズと空き容量のメモリサイズを比較する比較手段と、動画ファイルのメモリサイズが空き容量のメモリサイズより大きくなったとき、ワークメモリに記憶されている動画データを所定フレーム数ずつ撮影順にまとめて所定サイズの動画ファイルを複数作成する細分動画ファイル作成手段と、細分動画ファイル作成手段によって作成された複数の動画ファイルを順次保存メモリに記録する記録手段と、を備えたことを特徴とする撮像装置を提供する。  
これにより、動画撮影時に、撮影した動画データをまとめて１つの動画ファイルを作成した場合のファイルサイズが空き容量のサイズより大きくなっても、自動的に動画ファイルを細分して細分後の各動画ファイルのファイルサイズを空き容量のサイズより小さくできるので、画像記録領域の２分の１を超えて動画を撮影・記録してもあとから動画編集ができなくなるようなことを予め防止できる。
【００１５】
また、請求項４に記載の発明では、記録手段による動画ファイルの保存メモリの記録後、動画ファイル自動作成を報知する報知手段を備えたことを特徴とする請求項３記載の撮像装置を提供する。  
これにより、ユーザは空き容量が少なくなってきていることを認識できるので、現在行っている動画撮影を早い時期に終わらせて、編集用の空き容量を確保することができる。
【００１６】
また、請求項５に記載の発明では、記録手段は、細分動画ファイル作成手段によって作成された複数の動画ファイルを順次保存メモリに記録する際に、それぞれの動画ファイルに共通のファイル名と連番を付けて記録することを特徴とする請求項１又は３記載の撮像装置を提供する。  
これにより、細分した動画ファイルに共通の名称を付けるので、編集時には同じファイル名でサーチして順次編集を行うことにより、細分した動画ファイルのメモリサイズ程度の大きさに空き容量で結果的に１セット分の動画を編集することができる。
【００１７】
また、請求項６に記載の発明では、更に、ユーザによる動画ファイル統合指示を行う統合指示手段と、統合指示手段による動画ファイル統合指示があったとき、保存メモリに記録されている１セット分の動画を構成する複数の動画ファイルを読み出して順次動画データを再生してワークメモリに記憶する動画データ再生手段と、ワークメモリに記憶した動画データをまとめて１つの動画ファイルを作成する統合動画ファイル作成手段と、を備え、記録手段は統合動画ファイル作成手段によって作成された動画ファイルを保存メモリに上書き記録する、ことを特徴とする請求項１又は３に記載の撮像装置を提供する。  
これにより、編集しない動画についてはチャプタファイルを１つの画像ファイルにまとめて保存メモリに記憶し直すことができるので空き容量を増やすことができ、更に多くの撮影画像を記録することができ、メモリの使用効率が向上する。
【００１８】
また、請求項７に記載の発明では、統合指示手段はシャッターキーであり、ユーザによる動画ファイル統合指示はシャッターキーの半押しによって行われることを特徴とする請求項６記載の撮像装置を提供する。  
これにより、シャッターキーを半押しするだけでよいので特別にキーを設ける必要がない。また、最も使い易い位置に配されているシャッターキーを用いるので押しやすく、操作性に優れている。
【００１９】
また、請求項８に記載の発明では、被写体を撮影してその画像データを生成し、該画像データを所定のデータファイルとして保存メモリに記録する撮像装置の動画ファイルの記録方法において、動画撮影時に、ワークメモリに記憶された全動画データから１つの動画ファイルを作成した場合の動画ファイルのメモリサイズと保存メモリの空き領域のメモリサイズを比較し、動画ファイルのメモリサイズが保存メモリの空き領域のメモリサイズより大きくなったとき警告情報を出力し、ユーザによる動画ファイル細分指示入力を検出したとき、ワークメモリに記憶されている動画データを所定フレーム数ずつ撮影順にまとめて所定サイズの動画ファイルを複数作成し、作成された複数の動画ファイルを順次保存メモリに記録する、ことを特徴とする動画ファイルの記録方法を提供する。  
これにより、動画撮影時に撮影した動画データをまとめて作成する動画ファイルのファイルサイズが空き容量のサイズより大きくなった場合に、ユーザの指示により、動画ファイルを細分して複数の動画ファイルを作成しそのファイルサイズを空き容量のサイズより小さくできるので、画像記録領域の容量の２分の１を超えて動画を撮影・記録してもあとから動画編集ができなくなるようなことを予め防止できる。
【００２０】
また、請求項９に記載の発明では、被写体を撮影してその画像データを生成し、該画像データを所定のデータファイルとして保存メモリに記録する撮像装置の動画ファイルの記録方法において、動画撮影時に、ワークメモリに記憶された全動画データから１つの動画ファイルを作成した場合の動画ファイルのメモリサイズと保存メモリの空き領域のメモリサイズを比較し、動画ファイルのメモリサイズが保存メモリの空き領域のメモリサイズより大きくなったとき、ワークメモリに記憶されている動画データを所定フレーム数ずつ撮影順にまとめて所定サイズの動画ファイルを複数作成し、作成された複数の動画ファイルを順次保存メモリに記録する、ことを特徴とする動画ファイルの記録方法を提供する。  
これにより、動画撮影時に、撮影した動画データをまとめて１つの動画ファイルを作成した場合のファイルサイズが空き容量のサイズより大きくなっても、自動的に動画ファイルを細分して細分後の各動画ファイルのファイルサイズを空き容量のサイズより小さくできるので、画像記録領域の２分の１を超えて動画を撮影・記録してもあとから動画編集ができなくなるようなことを予め防止できる。
【００２１】
また、請求項１０に記載の発明では、更に、ユーザによる動画ファイル統合指示入力を検出したとき、保存メモリに記録されている１セット分の動画を構成する複数の動画ファイルを読み出して順次動画データを再生し、再生した動画データをまとめて１つの動画ファイルを作成し、作成された動画ファイルを保存メモリに上書き記録する、ことを特徴とする請求項８又は９に記載の動画ファイルの記録方法を提供する。  
これにより、編集しない動画についてはチャプタファイルを１つの画像ファイルにまとめて保存メモリに記憶し直すことができるので空き容量を増やすことができ、更に多くの撮影画像を記録することができ、メモリの使用効率が向上する。
【００２２】
また、請求項１１に記載の発明では、請求項１に記載の撮像装置において実行可能なプログラムであって、動画撮影モードを選択させるプログラムステップと、動画撮影モードの際に、被写体像を動画データに変換させてワークメモリに取り込ませるプログラムステップと、ワークメモリに記憶された動画データをまとめて１つの動画ファイルを作成した場合の該動画ファイルのメモリサイズを算出させるプログラムステップと、保存メモリの空き領域のメモリサイズを算出させるプログラムステップと、メモリサイズ算出手段によって算出された動画ファイルのメモリサイズと空き容量のメモリサイズを比較させるプログラムステップと、動画ファイルのメモリサイズが空き容量のメモリサイズより大きくなったとき、警告情報を出力させるプログラムステップと、ユーザによる動画ファイル細分指示を検出させるプログラムステップと、動画ファイル細分指示が検出されたとき、ワークメモリに記憶されている動画データを所定フレーム数ずつ撮影順にまとめて所定サイズの動画ファイルを複数作成させるプログラムステップと、作成された複数の動画ファイルを順次保存メモリに記録させるプログラムステップと、を備えたことを特徴とするプログラムを提供する。  
これにより、撮像装置は、動画撮影時に撮影した動画データをまとめて作成する動画ファイルのファイルサイズが空き容量のサイズより大きくなった場合に、ユーザの指示があると、動画ファイルを細分して複数のチャプタファイルを作成しそのファイルサイズを空き容量のサイズより小さくできる。
【００２３】
また、請求項１２に記載の発明では、請求項３に記載の撮像装置において実行可能なプログラムであって、動画撮影モードを選択させるプログラムステップと、動画撮影モードの際に、被写体像を動画データに変換させてワークメモリに取り込ませるプログラムステップと、ワークメモリに記憶された動画データをまとめて１つの動画ファイルを作成した場合の該動画ファイルのメモリサイズを算出させるプログラムステップと、保存メモリの空き領域のメモリサイズを算出させるプログラムステップと、メモリサイズ算出手段によって算出された動画ファイルのメモリサイズと空き容量のメモリサイズを比較させるプログラムステップと、動画ファイルのメモリサイズが空き容量のメモリサイズより大きくなったとき、ワークメモリに記憶されている動画データを所定フレーム数ずつ撮影順にまとめて所定サイズの動画ファイルを複数作成させるプログラムステップと、作成された複数の動画ファイルを順次保存メモリに記録させるプログラムステップと、を備えたことを特徴とするプログラムを提供する。  
これにより、撮像装置は、動画撮影時に、撮影した動画データをまとめて１つの動画ファイルを作成した場合のファイルサイズが空き容量のサイズより大きくなっても、自動的に動画ファイルを細分して細分後の各動画ファイルのファイルサイズを空き容量のサイズより小さくできる。
【発明の効果】
【００２４】
本発明によれば、画像記録領域の容量の２分の１を超えて動画を記録してもあとから動画編集ができなくなるようなことを予め防止できる。
【発明を実施するための最良の形態】
【００２５】
デジタルカメラ等の撮像装置で記録媒体に記録サイズと同じかそれ以上の空き容量がないと編集できないが、ファイルサイズを小さくきりながら記録すれば編集は可能となる。但し、ファイルサイズを小さくきりながら記録すると長時間のファイルを作成することができなくなる。そこで、本発明では下記各実施形態に示す処理を行うことにより動画記録中に残りの空き容量を越えた撮影を可能とする。以下、本発明をデジタルカメラに適用した場合の各実施形態について図面を参照して説明する。
【００２６】
（実施形態１）  
本実施形態ではデジタルカメラで動画記録中に残りの空き容量を越えた撮影を続けようとした場合に、何らかのアラームを出してユーザに撮影の継続か中止かを選択させる。
【００２７】
図１は、デジタルカメラの外観図である。デジタルカメラ１００は正面側（図１（ａ））に撮像レンズ１１１、光学ファインダ１１２及び測光センサ１１３を有している。また、デジタルカメラ１００の背面（図１（ｂ））には液晶モニタ画面４１、光学ファインダ１１２、モードの切換えを行なうモード切換えスイッチ３１、液晶モニタスイッチ３２、メニューキー３４、カーソルキー３５、動画撮影開始ボタン３８、表示切替え用のＤＩＳＰボタン３９等のスイッチ及びキーが設けられている。また、上面（図１（ｃ））にはズームレバー３３、シャッターキー３６、ストロボ設定キー３７、及び電源ボタン９１が設けられ、側部にはパーソナルコンピュータ（以下、パソコン）やモデム等の外部装置とＵＳＢケーブルを接続する場合に用いるＵＳＢ端子接続部９５が設けられている。
【００２８】
シャッターキー３６は、静止画撮影時に２段押しされるものである。１段目で露出等を設定し、２段目で画像をキャプチャ（記録）する。また、本実施形態では動画撮影開始後に編集用の空き容量不足が生じた場合で、ユーザによる画像ファイル細分指示（チャプタ指示）等を行う場合にシャッターキー３６の半押しによるチャプタ指示入力手段としても用いられる。
【００２９】
なお、警告や通知等を出力する報知手段として表示部４０のほかにスピーカ等の音声出力装置を設けるようにしてもよい。また、正面等に赤外線通信やブルートゥース等の近接通信用の光送受口や無線通信用アンテナ、ＧＰＳ受信アンテナを設けるようにしてもよい。
【００３０】
図２は、図１に示したデジタルカメラの回路構成例を示すブロック図である。図２で、デジタルカメラ１００は、光学系１１、信号変換部１２、信号処理部１３、ＤＲＡＭ１４、制御部２０、操作部３０、表示部４０、画像記録部５０、及び電源９０を有している。光学系１１、信号変換部１２、信号処理部１３は被写体像を取り込んで画像データを生成する撮像手段に相当する。
【００３１】
光学系１１は、撮像レンズ１１１、測光センサ１１３、ズーム機構１１４、自動合焦（ＡＦ）機構１１５及び自動絞り機構１１６や自動露出機構（ＡＥ）１１７等を含み、撮像レンズ１１１を介して集光された被写体像の光束を後段の撮像素子（ＣＣＤ）上に結像させる。
【００３２】
信号変換部１２は、Ａ／Ｄ変換器等の信号変換回路等を含み、また、前段の光学系１１を介して結像した画像をＣＣＤによって電気信号に変換し、その電気信号をデジタルデータに変換して一定の周期で出力する。
【００３３】
信号処理部１３は、静止画撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータ（以下、画像データ）をＤＲＡＭ１４に転送し、ＤＲＡＭ１４の静止画バッファ領域に記憶する。また、スルー画像を表示するために、ＤＲＡＭ１４に取込んだ画像データを間引いて表示部４０に送る。シャッターキー３６が全押しされるとその時点の画像データを表示部４０に送って静止画表示させる。
【００３４】
また、動画撮像モード時には信号変換部１２からの出力を処理して、デジタルの輝度、色差マルチプレクス信号（Ｙ，Ｃｂ，Ｃｒデータ）等の信号成分を得て、Ｙ，Ｃｂ，Ｃｒデータを所定の動画像（以下、動画）ファイルサイズ（例えば、約２００ＫＢ／秒）に変換させて動画像データ（以下、動画データ）としてＤＲＡＭ１４に転送し、ＤＲＡＭ１４の動画像バッファ（以下、動画バッファ）領域に順次記憶する。
【００３５】
また、信号処理部１３は、記録保存の際にＤＲＡＭ１４に書込まれている画像データを読み出して、圧縮処理を施し、再生時に画像記録部５０の保存メモリに保存記録されている圧縮画像データに伸張処理を施して画像データを再生する圧縮伸張部を備えている。また、圧縮画像データを高速で伸張する高速伸張部を備えるように構成してもよい。なお、画像データの圧縮／伸張方式としては、例えば、静止画像についてはＪＰＥＧ圧縮方式により、動画についてＭＰＥＧ形式或いはＡＶＩ形式によることができるが、これらに限定されない。なお、画像圧縮／伸張処理には専用の画像処理チップを用いることもできる。また、信号処理部１３には圧縮伸張部を設けず、プログラムで行うようにすることもできる。
【００３６】
ＤＲＡＭ１４は作業用メモリとして用いられ、撮像された静止画像を一時的に記憶する画像バッファ領域や所定時間分の動画像を一時的に記憶する動画バッファ領域や画像の圧縮／伸張時や画像合成時の作業用領域等が確保されている。実施例において、動画バッファ領域には、例えば、動画ファイルサイズを約２０００ＫＢ／秒とした場合、５分間分の動画データを記憶することができる。つまり、この場合、１セットに（＝１度に）撮影可能な最長時間（最長撮影許容時間）は５分となる。なお、最長撮影許容時間は５分に限定されるものではない。
【００３７】
制御部２０はＣＰＵ、ＲＡＭ、プログラム格納用ＲＯＭおよびタイマ等の計時機構を有したマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御を行う。また、動画撮影時の動作プログラムに基づく制御により、主電源が投入されると撮影モードに移行してスルー画像を表示し、動画撮影開始ボタン３８が押されると、コンティニアスＡＦによる連続自動合焦や自動絞り、自動露出等の撮影状態の最適化を開始させ動画撮影を開始させる。
【００３８】
また、制御部２０は、動画撮影時に、保存メモリの空き容量が録画ファイルサイズを下回りそうな場合、表示部４０に空き容量不足アラーム表示指示信号を送出する。また、表示部４０に図４に示すような空き容量不足アラームが表示された後、ユーザがチャプタ指示（ファイル再作成指示）入力を行うと、画像記録部５０に、現在、保存メモリに記録されている動画ファイルの大きさを細分した動画ファイル（チャプタファイル）を作成して記録するように指示する。
【００３９】
操作部３０はモード切替えスイッチ３１、液晶モニタスイッチ３２、ズームレバー３３、メニューキー３４、カーソルキー３５、シャッターキー３６、及びストロボ設定キー３７、動画撮影開始ボタン３８、ＤＩＳＰボタン３９等のボタンやスイッチを構成部分としており、これらのキーやボタン或いはスイッチが操作されると状態信号や設定値が制御部２０に送出される。
【００４０】
表示部４０は、ビデオエンコーダ、ＶＲＡＭ（図示せず）および液晶モニタ画面（ＬＣＤ）４１等から構成されており、制御部２０の表示制御により、撮像時のスルー画像、及び再生時の再生画像、処理選択時の選択用メニュー（或いはアイコン）などの表示信号を所定の表示形式に変換して液晶モニタ画面４１に出力する。
【００４１】
画像記録部５０は、撮影画像（キャプチャ画像ともいう）を不揮発的に記録するためのフラッシュメモリ等の半導体記憶デバイス（以下、保存メモリ）を有し、制御部２０の制御に基づき保存メモリへの画像ファイルや画像情報等の書込み及び読出しを行う。なお、画像記録部５０は、例えば、メモリカードのような取り外し可能な保存メモリを実装するように構成されていてもよい。
【００４２】
制御部２０は空き領域を常時監視し、チャプタ指示信号を受け取るとチャプタファイル（細分した動画ファイル）を作成して画像記録部５０の保存メモリ５００の画像記録領域５０２（図３）に記録させると共に、新たに書込まれる画像ファイルについてもチャプタファイルのファイルサイズにして記録領域に書込ませる（図３参照）。
【００４３】
測光センサ１１３はデジタルカメラ１００の周辺光量を計測して制御部２０に計測値を送る。
【００４４】
ズーム機構１１４はユーザによるズームレバー３３のスライド操作に基づいて焦点距離を望遠又は広角側に変化させる。
【００４５】
自動合焦機構１１５は、制御部２０の制御下でいわゆるＡＦ（オートフォーカス）による合焦のためのレンズの移動等を行う。自動絞り機構１１６は測光センサ１１３によって計測された周辺光量を基に制御部２０の制御下で決定される絞り値に従って絞りを行う。自動露出機構１１７は測光センサ１１３によって計測された周辺光量を基に制御部２０の制御下で決定される露出値（ＣＣＤに取り入れる光量）に従ってシャッタースピードを決定する。
【００４６】
なお、自動合焦機構１１５は、制御部２０の制御下で、静止画撮影時にはシャッターキー３６の半押しでＡＦ動作を開始し、動画撮影時には動画撮影開始ボタン３８が押されるとコンティニアスＡＦによる追従を開始する。また、前述したように、絞り値は静止画撮影に適した値と動画撮影に適した値があるので、制御部２０は、静止画撮影モード時には絞り値を静止画撮影に適したように決定し、動画撮影モード時には絞り値を動画撮影に適したように決定する。従って、自動絞り機構１１６による絞りは静止画撮影時と動画撮影時では異なる。
【００４７】
図３は、画像記録部５０の保存メモリ５００の画像記録領域に書込まれる動画ファイルと編集用空き領域の関係を示す概念図であり、図３（ａ）は記録領域全体のレイアウトを示し、図３（ｂ）は全動画像を１画像ファイルとした例を示し、図３（ｃ）は所定数の動画像を１画像ファイルとした複数のチャプタファイルを記憶するように構成した例を示す。また、図４はアラーム表示画面の一実施例を示す。
【００４８】
図３で、符号５００は保存メモリ５００、符号５０１は管理情報領域、符号５０２は画像記録領域、符号５０３は画像記録領域５０２に記録された動画画像ファイル（以下、動画ファイル）、符号５０４は画像記録領域の空き領域、符号５０３−１、・・・５０３−ｎはｎ個に細分され記録される動画ファイル（チャプタファイル）を示す。
【００４９】
なお、通常、画像記録領域５０２には静止画像ファイルや、複数組の動画像ファイルが混在するが、以下の説明では説明の単純化のため、画像記録領域５０２には１セット動画データからなる動画ファイル、つまり、１回の動画撮影による一連の動画データが記録されるものとする。
【００５０】
図３（ａ）に示すように保存メモリ５００は、日時、画像ファイルのサイズ、画質等のような画像情報を記録する管理ファイルやホルダリスト等を記録する管理情報領域５０１と画像記録領域５０２からなり、画像記録領域５０２は静止画ファイル（図示せず）や動画ファイル５０３及び空き領域５０４からなる。
【００５１】
デジタルカメラ１００の通常動作では動画撮影後、撮影された動画データがＭＰＥＧ形式やＡＶＩ形式の１つの画像ファイルとしてまとめられ、図３（ｂ）に示すように動画ファイル５０３として画像記録領域５０２に書込まれる。
【００５２】
ここで、画像記録領域５０２が３２０×２４０ピクセルの動画像６０００コマ分を圧縮した画像ファイルを記録する容量があるとすると、動画ファイル５０３のメモリサイズ＞空き領域５０４のサイズの場合（つまり、動画ファイルに含まれているコマ数＞３０００コマ以上の場合）は動画の画像編集ができなくなるため、図４に示すようなアラーム表示６１を行って、ユーザにチャプタファイルを作成するか否かの指示６２の入力を促す。
【００５３】
ユーザが動画ファイル作成の指示を行うと、デジタルカメラ１００は、図３（ｃ）に示すように動画ファイル５０３を１０００コマ（又は、所定撮影時間数分）毎に切り分けてチャプタファイル５０３−１〜５０３−４を作成して画像記録領域５０２に書込む。なお、図３（ｃ）の例では、チャプタファイルにまとめられるコマ数を１０００としたがこれに限定されない。
【００５４】
これにより、チャプタ動画ファイル５０３−１〜５０３−４のそれぞれのファイルサイズは空き領域５０４’を超えない。つまり、ｉを整数とするとき、「画像記録領域５０２のメモリ容量−（チャプタファイルのファイルサイズ）×ｉ＝編集用空き容量＞チャプタファイル」のメモリ容量の範囲で、動画ファイルの記録を行うことができることとなる。
【００５５】
次に、デジタルカメラ１００の動作を説明する。図５は、撮影モード時のデジタルカメラ１００の動作例を示すフローチャートであり、図示の例では動画撮影時の動作プログラムに基づく動作に相当する部分について示している。また、ステップＳ６、Ｓ７、Ｓ１２〜Ｓ１５は本発明の動画ファイルの記録方法に基づく動作に相当する。この撮影動作プログラムは、主電源をオンにしたとき（図１の電源スイッチ９１をオンにしたとき）に実行を開始する。なお、一般的な撮像・画像処理の詳細については記載を省略してある。
【００５６】
図５で、ユーザが電源スイッチを押して主電源をオンにすると、まず、制御部２０は操作部３０からの状態信号を調べ、ユーザがモード切換スイッチ３１を撮影モードに切換えているか否かを調べ、撮影モードに切換えている場合にはステップＳ２に進み、その他のキーが操作された場合は選択された撮影モードに移行する（ステップＳ１）。
【００５７】
制御部２０は、光学系１１、信号変換部１２、及び信号処理部１３を制御して取り込んだ被写体像の画像データをＤＲＡＭ１４に送り、静止画像バッファ領域に一時記憶させると共に取り込んだ画像データをスルー画像用に間引き処理して表示部４０へ送り、スルー画像を画面に表示させる（ステップＳ２）。
【００５８】
また、制御部２０は操作部３０からの状態信号を調べ、ユーザが動画撮影開始ボタン３８を押した場合にはステップＳ４に進み、その他のキーが操作された場合は選択された撮影処理に移行する（ステップＳ３）。
【００５９】
動画撮影開始ボタン３８が押された場合は、制御部２０は、自動合焦機構１１５、自動絞り機構１１６、自動露出機構１１７等の光学系機構を制御して、コンティニアスＡＦによる連続自動合焦や自動絞り、自動露出等の撮影状態の最適化を開始させると共に（ステップＳ４）、光学系１１、信号変換部１２、及び信号処理部１３を制御して所定時間間隔で連続して被写体像を間引いて動画データとしてＤＲＡＭ１４に送り、動画バッファ領域に順次追加記憶させる（ステップＳ５）。
【００６０】
制御部２０は、ＤＲＡＭ１４に記憶されている動画データを信号処理部１３の圧縮伸張部でまとめて圧縮させて１つの画像ファイルを作成した場合のファイルサイズと空き領域のメモリサイズを算出する。空き領域のサイズは既知の画像記録領域５０２のメモリサイズから算出されたファイルサイズを差し引くことによって求めることができる。また、ファイルサイズは、例えば、ＤＲＡＭ１４に記憶されている動画データの合計サイズと圧縮する際の圧縮率からも求めることができる（ステップＳ６）。
【００６１】
次に、制御部２０は算出した動画ファイルサイズ（＝Ａ）と算出した空き領域（＝Ｂ）を比較し、Ａ＞ＢのときはステップＳ１２に進み、Ａ≦ＢのときはステップＳ８に進む（ステップＳ７）。
【００６２】
制御部２０は１セット分の最長撮影可能時間（実施例では１セットあたり５分）を経過したか否かを調べ、経過した場合はステップＳ１０に進み（ステップＳ８）、１セット分の最長撮影可能時間を経過していない場合は、再び動画撮影開始ボタン３８が押されたか否かを調べ、押された場合は動画撮影ストップ指示があったものとしてステップＳ１０に進み、そうでない場合はステップＳ５に戻る（ステップＳ９）。
【００６３】
１セット当たりの最長撮影可能時間を経過した場合又は動画撮影開始ボタン３８が再度押された場合は、信号処理部１３の圧縮伸張部で、ＤＲＡＭ１４の動画バッファ領域に保持されている複数の動画データに圧縮処理を施させ画像ファイルを作成させて撮影情報等の画像情報と共に保存メモリ５００の画像記憶領域５０２に記録させる（ステップＳ１０）。
【００６４】
動画ファイルの記録が終わると、制御部２０は、ＤＲＡＭ１４の静止画像バッファ領域及び動画バッファ領域をクリアすると共に、操作部３０からの状態信号を調べ、ユーザがモード切替えスイッチ３１等の操作による他のモードへの切替えや終了操作を行った場合は撮影モードを終了し、そうでない場合はステップＳ２に戻る（ステップＳ１１）。
【００６５】
上記ステップＳ７でＡ＞Ｂのときは、制御部２０は表示部４０にアラームデータを送って図４に示したようなアラーム表示画面６０を表示させユーザの指示（この例ではシャッターキー３６の半押し）を促す（ステップＳ１２）。
【００６６】
制御部２０は操作部３０からの信号を調べ、シャッターキー３６が半押しされた場合はチャプタファイル作成のためにステップＳ１４に進み、所定時間経過してもシャッターキー３６の半押しがされない場合はステップＳ８に戻る（ステップＳ１３）。
【００６７】
上記ステップＳ１３でシャッターキー３６が半押しされた場合は、制御部２０はＤＲＡＭ１４に記憶されている動画データを所定フレーム数ずつ撮影順にまとめて信号処理部１３の圧縮伸張部でそれぞれ圧縮させ、所定サイズの動画ファイルを複数作成し（ステップＳ１４）、作成した動画ファイルを撮影情報等の画像情報と共に共通ファイル名称にシリアル番号を付けて保存メモリ５００の画像記録領域５０２に順次記録させ、動画ファイルの記録が終わると、ステップＳ５に戻って続けて動画撮影を可能とする。なお、ファイル名称は前述した特許文献１に記載の技術により、撮影され生成された画像信号中から文字情報を抽出して文字認識し、認識された文字情報を用いて文字列を生成し、生成した文字列を共通ファイル名称とすることにより、自動的に共通ファイル名称をつけることができる。なお、従前のように機械的に生成した文字列のうち、先頭ファイルのものを共通名称とするようにしてもよい（ステップＳ１５）。
【００６８】
上記図５のフローチャートの構成により、動画撮影時に撮影した動画データをまとめて作成する動画ファイルのファイルサイズが空き容量のサイズより大きくなった場合に、ユーザの指示により、動画ファイルを細分して複数のチャプタファイルを作成しそのファイルサイズを空き容量のサイズより小さくできるので、画像記録領域の容量の２分の１を超えて動画を撮影・記録してもあとから動画編集ができなくなるようなことを予め防止できる。
【００６９】
なお、デジタルカメラ１００に音声出力装置を設けた場合には、上記ステップＳ１２で行う表示部４０へのアラーム表示に代えて、音声出力装置からアラームメッセージを出力するようにしてもよい。
【００７０】
（実施形態２）  
上記実施形態１では、デジタルカメラで動画記録中に残りの空き容量を越えた撮影を続けようとした場合に、何らかのアラームを出してユーザに撮影の継続か中止かを選択させるようにしたが、本実施形態では、アラームを出すことなく、自動的にデジタルカメラ内でチャプタファイルを作成する。なお、本実施形態では、カメラの外観図、回路構成例、及び画像ファイルと編集用空き領域の関係は、上述した図１〜図３と同様とする。
【００７１】
図６は撮影モード時のデジタルカメラ１００の動作例を示すフローチャートであり、ステップＳ１〜Ｓ７の動作は図５のステップＳ１〜Ｓ７の動作と同様であり、図６では図５のフローチャートと異なる部分について示している。また、図７はチャプタ作成通知の表示例を示す図である。
【００７２】
図５のフローチャートのステップＳ７で、Ａ＞Ｂのときは、制御部２０は操作部３０からの信号を調べ、シャッターキー３６が半押しされた場合はチャプタファイル作成のためにＤＲＡＭ１４に記憶されている動画データを所定フレーム数ずつ撮影順にまとめて信号処理部１３の圧縮伸張部でそれぞれ圧縮させ、所定サイズの動画ファイルを複数作成し（ステップＳ１２）、作成した動画ファイル（チャプタファイル）を撮影情報等の画像情報と共に共通ファイル名称にシリアル番号を付けて保存メモリ５００の画像記憶領域５０２に順次記録させる。なお、ファイル名称は前述した特許文献１に記載の技術により、撮影され生成された画像信号中から文字情報を抽出して文字認識し、認識された文字情報を用いて文字列を生成し、生成した文字列を共通ファイル名称とすることにより、自動的に共通ファイル名称をつけることができる。なお、従前のように機械的に生成した文字列のうち、先頭ファイルのものを共通名称とするようにしてもよい（ステップＳ１３）。
【００７３】
動画ファイルの記録が終わると図７に示したようなチャプタファイル自動作成通知を表示部４０に所定時間（例えば、１０秒間）表示してから図５のステップＳ５に戻って続けて動画撮影を可能とする（ステップＳ１４）。
【００７４】
上記図６のフローチャートの構成により、動画撮影時に撮影した動画データをまとめて作成する動画ファイルのファイルサイズが空き容量のサイズより大きくなっても、自動的に動画ファイルを細分して細分後の各動画ファイルのファイルサイズを空き容量のサイズより小さくできるので、画像記録領域の２分の１を超えて動画を撮影・記録してもあとから動画編集ができなくなるようなことを予め防止できる。
【００７５】
なお、デジタルカメラ１００に音声出力装置を設けた場合には、上記ステップＳ１４で行う表示部４０への自動作成通知表示に代えて、音声出力装置から自動作成通知メッセージを出力するようにしてもよい。
【００７６】
（実施形態３）  
上記実施形態１、実施形態２ではチャプタを作成することにより、編集用の空き領域の大きさを超えないように、１セット分の画像データから所定サイズの複数の動画ファイル（チャプタファイル）を作成して保存メモリ５００に記録するようにしたが、本実施形態ではユーザが動画ファイルを編集する意思がない場合は、保存メモリ５００に記録されているチャプタファイルを１つの動画ファイルにまとめて記録し直す。
【００７７】
図８は、１セット分の動画ファイルをまとめて１つの動画ファイルを作成する場合のデジタルカメラの動作例を示すフローチャートである。
【００７８】
図８で、ユーザが電源スイッチ９１を押して主電源をオンにすると、まず、制御部２０は操作部３０からの状態信号を調べ、ユーザがモード切換スイッチ３１を再生モードに切換えているか否かを調べ、再生モードに切換えている場合にはステップＴ２に進み、その他のキーが操作された場合は他のモード処理に移行する（ステップＴ１）。
【００７９】
制御部２０は、画像記録部５０を制御して保存メモリ５００の画像記録領域５０２に記録した１セット分のチャプタファイルの組のうちの最初の画像ファイルを読み出して信号処理部１３の圧縮伸張部で伸張処理を施させて動画データを再生し、表示部４０に表示させる（ステップＴ２）。
【００８０】
次に、制御部２０は操作部３０からの状態信号を調べ、ユーザがシャッターキー３６を押した場合にはステップＴ４に進み、その他のキーが操作された場合は選択された再生処理に移行する（ステップＴ３）。
【００８１】
制御部２０は、画像記録部５０を制御して保存メモリ５００の画像記録領域５０２に記録したチャプタファイル（細分された動画ファイル）のうち、上記ステップＴ２で再生した動画ファイルを含む１セット分の動画ファイルを順次読み出して信号処理部１３の圧縮伸張部で伸張処理を施させて１セット分の動画データを再生させ、ＤＲＡＭ１４に順次追加記憶し（ステップＴ４）、１セット分の動画データの再生が終わるとＤＲＡＭ１４に追加記憶した１セット分の動画データをまとめて信号処理部１３の圧縮伸張部で圧縮処理を施させ、１つの動画ファイルを作成し（ステップＴ５）、作成した各動画ファイルに撮影情報やファイル名等の画像情報と共に保存メモリ５００の画像記憶領域５０２に順次記録させる（ステップＴ６）。
【００８２】
上記図８のフローチャートによる構成により、編集しない動画（ユーザが編集する意思のない動画）についてはチャプタファイルを１つの画像ファイルにまとめて保存メモリ５００に記憶し直すことができるので空き容量を増やすことができ、更に多くの撮影画像を記録することができ、メモリの使用効率が向上する。
【００８３】
なお、上記図８では保存メモリに記録されているチャプタファイルを再生モード時に１つの動画にまとめる例について述べたが、チャプタファイル１つの動画にまとめるタイミングは再生モード時に限定されない。例えば、上記実施形態１又は実施形態２で記録処理が終わった後に、上記図８のステップＴ２以降の動作を行うように構成してもよい。
【００８４】
また、上記図５、図６、及び図８のフローチャートの説明では画像圧縮／伸張処理は信号処理部１３の圧縮伸張部で行うようにしたが、信号処理部１３には圧縮伸張部を設けず、プログラムで行うようにすることもできる。
【００８５】
以上、本発明の幾つかの実施例について説明したが本発明は上記各実施例に限定されるものではなく、種々の変形実施が可能であることはいうまでもない。例えばデジタルカメラや撮像装置という用語は、電子カメラの他、カメラ付き携帯電話や撮像部を有する情報機器などにも適用し得るものである。
【図面の簡単な説明】
【００８６】
【図１】デジタルカメラの外観図である。
【図２】図１に示したデジタルカメラの回路構成例を示すブロック図である。
【図３】画像記録部の保存メモリに書込まれる画像ファイルと編集用空き領域の関係を示す概念図である。
【図４】アラーム表示画面の一実施例を示す図である。
【図５】動画撮影時のデジタルカメラの動作例を示すフローチャートである。
【図６】動画撮影時のデジタルカメラの動作例を示すフローチャートである。
【図７】表示画面の一実施例を示す図である。
【図８】１セット分の動画ファイルをまとめて１つの動画ファイルを作成する場合のデジタルカメラの動作例を示すフローチャートである。
【符号の説明】
【００８７】
１３  信号処理部（動画記憶手段）
１４  ＤＲＡＭ（ワークメモリ）
２０  制御部（メモリサイズ算出手段、比較手段）、
３６  シャッターキー（細分指示手段、統合指示手段）
３８  動画撮影開始／終了ボタン
４０  表示部（警告出力手段）
５０  画像記録部（記録手段）
６０  アラーム表示画面
６１  アラーム表示
１００  デジタルカメラ（撮像装置）
５００  保存メモリ
５０２  画像記憶領域
５０３  動画ファイル
５０３−１、５０３−２、５０３−３、５０３−４  チャプタファイル（細分化された動画ファイル）
【図１】
2005192096.tif 000003
【図２】
2005192096.tif 000004
【図３】
2005192096.tif 000005
【図４】
2005192096.tif 000006
【図５】
2005192096.tif 000007
【図６】
2005192096.tif 000008
【図７】
2005192096.tif 000009
【図８】
2005192096.tif 000010